(57)【要約】  【課題】  潤滑油が位置決めリングの中心孔から振り出された後、軸管の内部のポンプ効果の作用により吸引され、再び回流孔から軸管の内部まで迅速に吸い戻され、潤滑油の流失を防止し、さらにモーターを保護して回転軸と軸受との摩損を避け、モーターの使用寿命を延ばすことができる。  【解決手段】  位置決めリング４０がしまりばめの方式で軸管１０の内部に嵌設されることにより、軸受２０を軸管１０の内部の予定位置に位置決めする。位置決めリング４０の中央には回転軸３０が貫穿するための中心孔４１が設けられ、位置決めリング４０の外周壁には少なくとも一個以上の回流孔４３が設けられ、回流孔４３は軸管１０の内周壁に対応するように形成され、そして回流孔４３は両面を貫穿するように構成されている。【選択図】    図１
2007195390.tif 000002
【特許請求の範囲】
【請求項１】
位置決めリング（４０）がしまりばめの方式で軸管（１０）の内部に嵌設されることにより、軸受（２０）を軸管（１０）の内部の予定位置に位置決めするモーターの位置決めリングの構造において、位置決めリング（４０）の中央には回転軸（３０）が貫穿するための中心孔（４１）が設けられ、位置決めリング（４０）の外周壁には少なくとも一個以上の回流孔（４３、４４）が設けられ、回流孔（４３、４４）は軸管（１０）の内周壁に対応するように形成され、さらに回流孔（４４）は位置決めリング（４０）の両面を貫穿するように形成されることを特徴とするモーターの位置決めリングの構造。
【請求項２】
位置決めリング（４０）の外周縁には上方へ突出するように環状突出周壁（４２）が形成されることにより、位置決めリング（４０）全体は中央に中心孔（４１）を有する浅めの丸い盆体に形成され、回流孔（４３）は環状突出周壁（４２）の外周面に設置され、そして位置決めリング（４０）まで貫穿して上記浅めの丸い盆体の内側面を形成することを特徴とする請求項１記載のモーターの位置決めリングの構造。
【発明の詳細な説明】
【技術分野】
【０００１】
本発明は、モーターの位置決めリングの構造に関するもので、特に潤滑油の回収循環に関して潤滑油が流失するのを防ぐために設計したもので、回転軸と軸受との摩損を避けてモーターの使用寿命を延ばすモーターの位置決めリングの構造に係るものである。
【背景技術】
【０００２】
潤滑油は回転軸が軸受に対して回転時における潤滑するための媒介であり、潤滑油によってその間の摩擦の抵抗力を低く抑えることができる。故に、よりよい循環潤滑の技術を求め、さらに潤滑油の流失を有効に防止するのが、モーター回転の騒音を低く抑え、さらにモーターの使用寿命を高めるのに最も重要な鍵である。
【０００３】
図５を参照すると、従来のモーターの構造において、軸受２０は軸管１０の内部に配置され、軸受２０は位置決めリング４０と上蓋５０により軸管１０の内部の予定位置に挟んで位置決めされ、そして上蓋５０と軸受２０との間には他に係止片６０が挟設され、回転軸３０の端部には環状溝３１が設けられ、回転軸３０が順序よく位置決めリング４０の中心孔４１と軸受２０の軸孔２１を貫穿した後、環状溝３１が係止片６０によって係止して位置決めされることにより、回転軸３０は脱落することがなく軸受２０の軸孔２１の中央で回転することができるようにとしたものがある。
【発明の開示】
【発明が解決しようとする課題】
【０００４】
潤滑油の循環の効率と完全な保存はモーターの寿命に影響を及ぼす主な鍵である。上記のような従来のモーターの構造においては、モーターが回転すると、潤滑油は回転軸３０の回転により絶えずに上方へ上昇し、最後に位置決めリング４０の中心孔４１から振り出される。しかし、潤滑油が位置決めリング４０の中心孔４１を経て振り出された後、従来の構造では潤滑油の回流し循環するための通路を設計しておらず、そのために振り出された潤滑油はずっと位置決めリング４０に溜まり込んで、軸受２０の表面まで回流して再吸収して使用することができないため、モーターの回転は持続的に潤滑油による潤滑が欠けていると、騒音が生じ、寿命が短くなるという問題点があった。このように、回転軸３０と軸受２０との摩損を避けるべく、さらにモーターの保護とモーターの使用寿命を延ばすべく、上記のような従来のモーターの構造による潤滑油の流失との問題点を徹底的に解決する他に、潤滑油を導引して絶えずに回流し循環して使用できる潤滑油の循環システムを開発しなければならない。
【０００５】
本発明はこのような問題点に鑑みて発明したものであって、その目的とするところは、位置決めリングが軸管の内周壁に対応する外周縁において少なくとも一個以上の回流孔を設けることにより、潤滑油が一旦位置決めリングの中心孔を経て振り出された後、軸管の内部におけるポンプ効果の作用により吸引され、再び直ちに回流孔から軸管の内部まで迅速に吸い戻されることにより、軸受の循環潤滑の媒介を提供することができ、このように回流孔の設計により潤滑油の回流循環の通路を提供することができ、潤滑油が流失のを防止することができ、さらにモーターを保護して回転軸と軸受との摩損を避け、モーターの使用寿命を延ばすことができるモーターの位置決めリングの構造を提供しようとするものである。
【０００６】
本発明の第一の目的は、位置決めリングが軸管の内周壁に対応する外周縁において少なくとも一個以上の回流孔を設けることにより、潤滑油が一旦位置決めリングの中心孔を経て振り出された後、軸管の内部におけるポンプ効果の作用により吸引され、再び直ちに回流孔から軸管の内部まで迅速に吸い戻され、潤滑油の回流循環の通路を提供することができるため、潤滑油が流失のを防止し、モーターを保護して回転軸と軸受との摩損を避け、さらにモーターの使用寿命を延ばすことができるモーターの位置決めリングの構造を提供しようとするものである。
【課題を解決するための手段】
【０００７】
上記目的を達成するために、本発明によるモーターの位置決めリングの構造は、下記のようになるものである。すなわち、
位置決めリングがしまりばめの方式で軸管の内部に嵌設されることにより、軸受を軸管の内部の予定位置に位置決めするモーターの位置決めリングの構造において、位置決めリングの中央には回転軸が貫穿するための中心孔が設けられ、位置決めリングの外周壁には少なくとも一個以上の回流孔が設けられ、回流孔は軸管の内周壁に対応するように形成され、さらに回流孔は位置決めリングの両面を貫穿するように形成される。
【０００８】
本発明によるモーターの位置決めリングの構造は、位置決めリングの外周縁には上方へ突出するように環状突出周壁が形成されることにより、位置決めリング全体は中央に中心孔を有する浅めの丸い盆体に形成され、回流孔は環状突出周壁の外周面に設置され、そして位置決めリングまで貫穿して上記浅めの丸い盆体の内側面を形成することもできる。
【発明の効果】
【０００９】
本発明のモーターの位置決めリングの構造によれば、位置決めリングが軸管の内周壁に対応する外周縁において少なくとも一個以上の回流孔を設けることにより、潤滑油が一旦位置決めリングの中心孔を経て振り出された後、軸管の内部におけるポンプ効果の作用により吸引され、再び直ちに回流孔から軸管の内部まで迅速に吸い戻され、潤滑油の回流循環の通路を提供することができるため、潤滑油の流失を防止し、モーターを保護して回転軸と軸受との摩損を避け、さらにモーターの使用寿命を延ばすことができるという利点がある。
【発明を実施するための最良の形態】
【００１０】
本発明の実施の形態について、以下、図面を参照して説明する。
【実施例１】
【００１１】
図１、２を参照すると、本発明の実施例１のモーターの位置決めリングの構造において、軸管１０の内部には順序に従って上蓋５０、係止片６０、軸受２０と位置決めリング４０が置き入れられ、上蓋５０と位置決めリング４０はしまりばめの方式で軸管１０の内周壁の両端に嵌設し固定されることにより、係止片６０と軸受２０を軸管１０の内部の予定位置に挟設して位置決めすることができる。
【００１２】
回転軸３０の端部には環状溝３１が設けられる。回転軸３０は順序よく位置決めリング４０の中心孔４１と軸受２０の軸孔２１を貫穿し、そして係止片６０を利用して回転軸３０の環状溝３１を係止して位置決めすることにより、回転軸３０は軸受２０の軸孔２１の中央で脱落することなく回転することができる。
【００１３】
本発明の実施例１のモーターの位置決めリングの構造において、位置決めリング４０の外周縁には上方へ突出するように環状突出周壁４２が形成されることにより、位置決めリング４０全体は中央に中心孔４１を有する浅めの丸い盆体に形成され、そして環状突出周壁４２が軸管１０の内周壁に対応する外周面には少なくとも一個以上の回流孔４３が設置され、さらに回流孔４３は位置決めリング４０まで貫穿して浅めの丸い盆体の内側面を形成しなければならない。
【００１４】
これにより、一旦潤滑油が位置決めリング４０の中心孔４１を経て振り出された後、軸管１０の内部のポンプ効果の作用により吸引され、再び直ちに回流孔４３から軸管１０の内部まで迅速に吸い戻されることにより、軸受２０の循環潤滑の媒介を提供することができ、このように回流孔４３の設計により潤滑油の回流循環の通路を提供することができ、潤滑油が流失のを防止することができ、さらにモーターを保護して回転軸と軸受との摩損を避け、モーターの使用寿命を延ばすことができる。
【実施例２】
【００１５】
図３、４を参照すると、本発明の実施例２のモーターの位置決めリングの構造において、位置決めリング４０は中央に中心孔４１を有する円板体に形成され、そして位置決めリング４０が軸管１０の内周壁に対応する外周面にも少なくとも一個以上の回流孔４４が設置され、さらに回流孔４４は位置決めリング４０の両面まで貫穿しなければならない。
【００１６】
これにより、一旦潤滑油が位置決めリング４０の中心孔４１を経て振り出された後、軸管１０の内部のポンプ効果の作用により吸引され、再び直ちに回流孔４４から軸管１０の内部まで迅速に吸い戻されることにより、軸受２０の循環潤滑の媒介を提供することができ、このように回流孔４４の設計により潤滑油の回流循環の通路を提供することができ、潤滑油が流失のを防止することができ、さらにモーターを保護して回転軸と軸受との摩損を避け、モーターの使用寿命を延ばすことができる。
【産業上の利用可能性】
【００１７】
上述の如く、本発明のモーターの位置決めリングの構造によれば、潤滑油を導引して絶えずに回流して循環して使用することができ、さらに潤滑油が流失のを防止することができ、モーターの回転による騒音を減らすと共に、モーターの使用寿命を延ばすことができる。
【００１８】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００１９】
【図１】本発明の実施例１のモーターの位置決めリングの構造を示す分解斜視図である。
【図２】本発明の実施例１のモーターの位置決めリングの構造による組み立てられた状態を示す断面図である。
【図３】本発明の実施例２のモーターの位置決めリングの構造を示す分解斜視図である。
【図４】本発明の実施例２のモーターの位置決めリングの構造による組み立てられた状態を示す断面図である。
【図５】従来のモーターの位置決めリングの構造による組み立てられた状態を示す断面図である。
【符号の説明】
【００２０】
１０    軸管                          ２０    軸受
２１    軸孔                          ３０    回転軸
３１    環状溝                        ４０    位置決めリング
４１    中心孔                        ４２    環状突出周壁
４３    回流孔                        ４４    回流孔
５０    上蓋                          ６０    係止片
【図１】
2007195390.tif 000003
【図２】
2007195390.tif 000004
【図３】
2007195390.tif 000005
【図４】
2007195390.tif 000006
【図５】
2007195390.tif 000007